(57)【特許請求の範囲】
【請求項１】
コンクリート製接合物の接合面に臨む開口部からその先窄まりの奥に設けた径大の取付孔内に挿入される外形が断面略半楕円形の膨拡状の突状部を、該突状部の後方にその突状部の短軸方向の長さより厚い厚さに弾性材にて形成される接合部材本体の少なくとも一側端に設け、該接合部材本体には軸長方向に略交叉する厚み方向に向いた複数個の開列用空間部の隣接する相互が、相反する向きに接合部材本体の厚みの中心線を越して形成されるとともに、前記開列用空間部は、接合部材本体の厚み方向の外側部分を所望長さの接合部を有する開離可能な閉鎖端とし、内側部分は幅広部に形成されたことを特徴とするコンクリート製接合物の止水用接合部材。
【請求項２】
コンクリート製接合物の対向する開口部からその先窄まりの奥に設けた径大の取付孔内に挿入される外形が断面略半楕円形の膨拡状の突状部を、該突状部の後方にその突状部の短軸方向の長さより厚い厚さに弾性材にて形成される接合部材本体の両側に設け、接合部材本体には軸長方向に略交叉する厚み方向に向いた複数個の開列用空間部の隣接する相互が、相反する向きに接合部材本体の厚みの中心線を越して形成されるとともに、前記開列用空間部は、接合部材本体の厚み方向の外側部分を所望長さの接合部を有する開離可能な閉鎖端とし、内側部分は幅広部に形成されたことを特徴とするコンクリート製接合物の止水用接合部材。
【請求項３】
コンクリート製接合物に設けた前記取付孔と、該取付孔内に挿入される前記突状部との間に形成される空間部をグラウト材を導入する導入通路とし、該グラウト材が充填、固化されることにより接合部材本体を介してコンクリート製接合物相互を接合することを特徴とした請求項１または請求項２に記載のコンクリート製接合物の止水用接合部材。
【請求項４】
前記開口部は、内側形状がコンクリート製接合物の接合面の奥に設けた径大の取付孔に向かって先窄まりに形成されるとともに取付孔と開口部との境界に位置する頸部にはくびれ部が形成され、該くびれ部の開口幅よりも接合部材本体の突状部が径小に形成されることを特徴とする請求項１または請求項２に記載のコンクリート製接合物の止水用接合部材。
【請求項５】
接合部材本体に設けた前記突状部の後方に前記開口部に圧接されて取付孔内を気密状態に維持する閉鎖圧接部を上面または下面の少なくとも一面に設けたことを特徴とする請求項１、または請求項２、請求項３、請求項４の何れかに記載のコンクリート製接合物の止水用接合部材。
【請求項６】
接合部材本体の少なくとも上面または下面にコンクリート製接合物の接合面に接触して取付孔内を気密状態に維持する閉鎖壁を軸長方向に交叉する厚み方向に向いて突設したことを特徴とする請求項１、または請求項２、請求項３の何れかに記載のコンクリート製接合物の止水用接合部材。
【請求項７】
前記突状部は、接合部材本体の先端括れ部分の厚み方向の高さが少なくとも２ｍｍ以上に形成されたことを特徴とする請求項１,または請求項２、請求項３、請求項４、請求項５、請求項６の何れかに記載のコンクリート製接合物の止水用接合部材。
【請求項８】
前記開列用空間部の外側部分に配置される前記接合部は、略１ｍｍ以下の長さに形成されることを特徴とする請求項１、または請求項２、請求項３、請求項４、請求項５、請求項６、請求項７の何れかに記載のコンクリート製接合物の止水用接合部材。
【請求項９】
前記閉鎖圧接部は取付孔に対する前記突状部の挿入方向に係止可能に斜設されるとともに前記突状部よりも外側に長い長さのリップ状をなして所望数個が形成されることを特徴とする請求項５に記載のコンクリート製接合物の止水用接合部材。
【発明の詳細な説明】
【０００１】
【発明の属する技術分野】
本発明はコンクリート製接合物の止水用接合部材に関し、例えばコンクリート製のボックス・カルバート、側溝、Ｕ形溝、下水管、共同溝等の地下埋設構造物やトンネル、擁壁等の地上構造物としての土木資材や外壁パネル、内壁パネル、スラブ板等の建築資材におけるコンクリート製部材相互を簡単且つ確実に接続し、耐震性、止水性を優れたものにする。
【０００２】
【従来の技術】
従来、コンクリート製接合物、例えばボックス・カルバート、側溝、Ｕ形溝等の土木資材相互を敷設現場において接続するための接合方法には、（ａ）構造的にコンクリート製接合物相互を一体化するための剛結性があること、（ｂ）耐震性を発揮するためにコンクリート製接合物の接合位置に可撓性を有すること、（ｃ）液体の漏れを防ぐために止水性を発揮すること等の条件を満たす必要がある。
最近、大地震による側方流動のような地盤変動から生ずる地盤ひずみに対応してボックス・カルバート、側溝等の地下埋設構造物の耐震性を保持するのには、地下埋設構造物の剛性を低下させ、なるべく柔軟構造として地盤変形を吸収する方法が得策であることが判ってきた。この場合、地下埋設構造物相互の接続部位が大きく変動しても充分に止水性を確保する必要がある。
しかしながらこれらの上記（ａ）〜（ｃ）の項目を全て満足する接合方法は従来なかった。
地下埋設構造物相互を接合するには従来例えば図８に示すような接合方法が一例としてある。
これは接合すべき一方のコンクリート製接合物Ａとしての承口管５０の前端の承口５０ａ内にゴムまたは合成樹脂よりなるパッキング５１やＯリングを介装して他方のコンクリート製接合物としての挿入管５２を挿入する方法である。
また他の接合方法は、図９に示すようにコンクリート製接合物Ａ，Ｂの外側に設けた取付部５３をボルト５４とナット５５とにより緊結するとともにコンクリート製接合物Ａ，Ｂの接合面２，２間にゴム等のパッキング５６を圧着させて止水をはかるものであった。
【０００３】
【発明が解決しようとする課題】
図８に示すように承口管５０の承口５０ａ内にゴム等よりなるパッキング５１を介して挿入管５２を挿入することにより地下埋設構造物としてのコンクリート製接合物Ａ，Ｂ相互を接合する従来の方法は、承口管５０の承口５０ａ内のクリアランスを確保し、またパッキング５１が自然の接合状態で承口５０ａから抜け出さない程度の摩擦抵抗力を有し、しかも挿入管５２による押込み限界圧力が最大の状態で設定される必要がある等の事項を満足して設計が行わなければならない。またこの接合方法は、地震の地盤変動、地盤ひずみ、振動等の引張力や圧縮力等の外力に対して承口管５０と挿入管５２との接合部位の追従性が悪く、パッキング５１等と承口管５０や挿入管５２との間の隙間から漏水する等、充分な止水性を得ることができなかった。
また図９に示すように、ボルト５４とナット５５との緊結によりコンクリート製接合物Ａ，Ｂの接合面２，２間にゴム等よりなるパッキング５６を圧着させる他の従来の接合方法は、コンクリート製接合物Ａ，Ｂ間の可撓性能が著しく阻害されるので、耐震性に乏しい。また止水性はパッキング５６の弾性変形をもたせる程度の圧着力により行われるのにすぎないので、充分ではなかった。
しかも図９に示すこの接合方法は、部品点数が多く、コンクリート製接合物Ａ，Ｂの接合には熟練した技術を必要とし、接合作業には多くの時間と手間がかかり、作業性が悪く非能率であり、さらに工事費、資材費、製作費が高価になる等の不都合があった。
【０００４】
本発明は上記従来の不都合を解決し、コンクリート製接合物の接合面の奥に設けた取付孔に対する接合部材本体の少なくとも一側端に設けた突状部の挿入を所定位置に正確に行ってコンクリート製接合物相互の接合作業が未熟練者にも簡単な取扱操作で短時間に確実に行えるようになし、また接合個所の剛結性は充分であり、しかも地震や振動等の外力に対する追従性と伸長度とが良く、止水性と強度に優れ、さらには部品点数が少なく製作および設計が容易であり、製作費、工事費、資材費を安価にするコンクリート製接合物の止水用接合部材を提供するのにある。
【０００５】
【課題を解決するための手段】
本発明は上記課題に鑑みてなされたものであり、その請求項１はコンクリート製接合物の接合面に臨む開口部からその先窄まりの奥に設けた径大の取付孔内に挿入される外形が断面略半楕円形の膨拡状の突状部を、該突状部の後方にその突状部の短軸方向の長さより厚い厚さに弾性材にて形成される接合部材本体の少なくとも一側端に設け、該接合部材本体には軸長方向に略交叉する厚み方向に向いた複数個の開列用空間部の隣接する相互が、相反する向きに接合部材本体の厚みの中心線を越して形成されるとともに、前記開列用空間部は、接合部材本体の厚み方向の外側部分を所望長さの接合部を有する開離可能な閉鎖端とし、内側部分は幅広部に形成されたことを特徴とするという手段を採用した。
【０００６】
また本発明の請求項２はコンクリート製接合物の対向する開口部からその先窄まりの奥に設けた径大の取付孔内に挿入される外形が断面略半楕円形の膨拡状の突状部を、該突状部の後方にその突状部の短軸方向の長さより厚い厚さに形成される接合部材本体の両側に設け、接合部材本体には軸長方向に略交叉する厚み方向に向いた複数個の開列用空間部の隣接する相互が、相反する向きに接合部材本体の厚みの中心線を越して形成されるとともに、前記開列用空間部は、接合部材本体の厚み方向の外側部分を所望長さの接合部を有する開離可能な閉鎖端とし、内側部分は幅広部に形成されたことを特徴とするという手段を採用した。
【０００７】
また本発明の請求項３は、請求項１または請求項２においてコンクリート製接合物に設けた前記取付孔と、該取付孔内に挿入される前記突状部との間に形成される空間部をグラウト材を導入する導入通路とし、該グラウト材が充填、固化されることにより接合部材本体を介してコンクリート製接合物相互を接合するという手段を採用した。
【０００８】
また本発明の請求項４は、請求項１または請求項２において前記開口部は、内形状がコンクリート製接合物の接合面の奥に設けた径大の取付孔に向かって先窄まりに形成されるとともに取付孔と開口部との境界に位置する頸部にはくびれ部が形成され、該くびれ部の開口幅よりも接合部材本体の突状部が径小に形成されるという手段を採用した。
【０００９】
また本発明の請求項５は、請求項１、または請求項２、請求項３、請求項４の何れかにおいて接合部材本体に設けた前記突状部の後方に前記開口部に圧接されて取付孔内を気密状態に維持する閉鎖圧接部を上面または下面の少なくとも一面に設けるという手段を採用した。
【００１０】
また本発明の請求項６は、請求項１、または請求項２、請求項３の何れかにおいて接合部材本体の少なくとも上面または下面にコンクリート製接合物の接合面に接触して取付孔内を気密状態に維持する閉鎖壁を軸長方向に略交叉する厚み方向に向いて突設するという手段を採用した。
【００１１】
また本発明の請求項７は、請求項１において前記突状部は外形状が断面略半楕円形をなし、接合部材本体の先端括れ部分の厚み方向の高さが少なくとも２ｍｍ以上に形成されるという手段を採用した。
【００１５】
また本発明の請求項８は、請求項１、請求項２、請求項３、請求項４、請求項５、請求項６、請求項７において前記開列用空間部の外側部分に配置される前記接合部は、略１ｍｍ以下の長さに形成されるという手段を採用した。
【００１６】
また本発明の請求項９は、請求項５において前記閉鎖圧接部は、取付孔に対する前記突状部の挿入方向に係止可能に斜設されるとともに前記突状部よりも外側に長い長さのリップ状をなして所望個数が形成されるという手段を採用した。
【００１７】
【発明の実施の形態】
以下本発明の実施の形態の具体例を図面に従って説明する。
図１乃至図４においてＡ，Ｂは接合すべきコンクリート製接合物であり、このコンクリート製接合物Ａ，Ｂはこの実施例では図４に示すようなボックス・カルバート１，１が使用される。これらのボックス・カルバート１，１は接合時に衝合可能になる接合面２，２を対向して設けている。
【００１８】
図面において３は取付孔であり、この取付孔３は例えば図１乃至図３に示すように図示では断面略円形をなし、接合すべき両方のコンクリート製接合物Ａ，Ｂの接合面２，２のうち、少なくとも一方のコンクリート製接合物の接合面２に後記接合部材本体６の少なくとも一側端に形成した正面略環状の突状部６ａを挿入可能になすように接合面２に臨んで正面略環状に設けた開口部４を介してその奥に径大に設けられる。
【００１９】
また前記開口部４はその断面形状が奥に設けた径大の前記取付孔３に向かって先窄まりに形成されるとともに該取付孔３と開口部４との境界に位置する頸部にはくびれ部５，５が形成されている。ｌ1 は開口部４の上下方向の最小寸法の開口幅である。
【００２０】
６はゴムまたは合成樹脂よりなる弾性材にて正面略環状に形成される接合部材本体であり、この接合部材本体６は少なくとも一側端にコンクリート製接合物Ａの接合面２に臨む開口部４からその奥に設けた取付孔３内に挿入される膨拡状の突状部６ａを設け、接合部材本体６の他側端は他側のコンクリート製接合物Ｂに取付けられる。
本実施例では接合部材本体６の左右の両端に膨拡状、図示では断面略半楕円形の突状部６ａ，６ａを夫々設けている。接合部材本体６を形成すべき弾性材は、例えばゴム、合成樹脂のほかガラス繊維、炭素繊維等の無機繊維を編成したものを混入して使用される。本実施例の接合部材本体６の大きさは、一方の突状部６ａから他方の突状部６ａに到る全長Ｌが約７５ｍｍ、接合部材本体６の厚さＨは約１７ｍｍである。また接合部材本体６に複数個、図示では３個が形成される後記開列用空間部９の接合部材本体６における軸長方向Ｉの有効設置長さは１８ｍｍ程度である。さらに突状部６ａは、その長軸方向の長さｌ２が約６．６ｍｍであり、短軸方向の長さｌ３が約８．５ｍｍほどの大きさに形成される。しかも突状部６ａのその先端括れ部分の厚み方向の高さｈが少なくとも２ｍｍ以上に形成される。６ｂは前記突状部６ａの後方に設けた閉鎖圧接部であり、この閉鎖圧接部６ｂは前記取付孔３に対する前記突状部６ａの挿入方向Ｓに係止可能に所望の設置角度θにて斜設されるとともに前記突状部６ａよりも外側に長い長さｌ４  のリップ状をなして所望数個、図示では上下２個づつが２個の突状部６ａ，６ａの後方の左右に形成される。このリップ状の閉鎖圧接部６ｂの設置角度θは、４５°〜６０°の範囲が突状部６ａを開口部３内に挿入し易くするためと、開口部４からの閉鎖圧接部６ｂの抜け出しを防止するのに最適である。
そしてこの閉鎖圧接部６ｂが開口部４の内面に圧接されると、取付孔２および開口部４内が気密状態に維持される。
【００２１】
Ｋは前記取付孔３内に挿入される接合部材本体６の突状部６ａとの間に形成される空間部であり、この空間部Ｋはグラウト材７を導入するための導入通路８を通じてグラウト材７が導入通路８内に充填されて固化すると、前記接合部材本体６を介してコンクリート製接合物Ａ，Ｂは相互に接続される。
【００２２】
９は前記接合部材本体６に、その軸長方向Ｉに略交叉する厚み方向Ｔに伸びた複数個、図示では３個が形成された開列用空間部であり、この開列用空間部９は接合部材本体６の厚み方向Ｔの外側部分を、所望長さｌ5 の接合部９ａ1 を有する開離可能な閉鎖端９ａとし、内側部分は幅広部９ｂとして形成される。そして軸長方向Ｉに隣接する開列用空間部９は、相互に相反する向きに設置されるが、これらの開列用空間部９は接合部材本体６の厚み方向Ｔの中心線Ｎを越して各々形成される。前記接合部９ａ1 は、略１ｍｍ以下の長さで開離可能に接合されていることがコンクリート製接合物Ａ，Ｂを接合する時に接合部材本体６が剛性を発揮して一体的に取付孔３，３内の所定位置に突状部６ａ，６ａを挿入し易くなるために最適である。また地震の地盤変動、地盤ひずみや振動等の所定の大きさ以上の引張力、圧縮力のような外力が加わった場合に、接合部９ａ1 が左右方向に破断することにより開列用空間部９が開くと、接合部材本体６は図３に示すように全体的に蛇腹状をなして縦横に伸縮性を発揮するため、地震等の外力に対する接合部材本体６の追従性が良好になり、コンクリート製接合物Ａ，Ｂに対する接合部材本体６の止水性は優れたものになる。
また前記開列用空間部９の幅広部９ｂは図示するような円弧形に形成され、その直径Φは４ｍｍ程度の大きさに形成される。
【００２３】
前記グラウト材７は、例えば無収縮性のセメントモルタルが好適に使用されるが、そのほかに液状のゴムまたは、合成樹脂が使用される。そしてこのグラウト材７は前述したようにコンクリート製接合物Ａ，Ｂの外部より接合部材本体６の両側端に設けた突状部６ａと、前記取付孔３内との間に形成される空間部Ｋを導入通路８となしてこの導入通路８を通じて空間部Ｋ内に外部からグラウト材７は充填、固化される。８ａは導入通路８に通ずる導入口である。またグラウト材７は該導入口８ａを通じて充填機によりコンクリート製部材Ａ，Ｂの前記空間部Ｋ内に充填される。
【００２４】
Ｘはコンクリート製接合部材Ａ，Ｂ相互の接合方向、Ｙは接合方向Ｘに上下方向に交叉する方向、Ｚは接合方向Ｘに水平方向に交叉する方向である。
【００２５】
本発明の一実施例は以上の構成からなり、以下コンクリート製接合物Ａ，Ｂ相互の接合方法の一例を作用とともに工程順に説明する。
コンクリート製接合物Ａ，Ｂとしてのボックス・カルバート１，１を敷設現場において接合するには、先ずゴムまたは合成樹脂等の弾性材よりなる接合部材本体６の両側端に設けた突状部６ａ，６ａを対向するボックス・カルバート１，１の接合面２，２に設けた正面略環状の開口部４，４からその奥に設けた取付孔３，３内に接合方向Ｘへと挿入する（図１参照）。
【００２６】
この際、接合部材本体６の軸長方向Ｉの両側端に設けた突状部６ａ，６ａの後方における上面および下面に設けたリップ状の閉鎖圧接部６ｂ，６ｂを開口部４，４の内面に接触させて突状部６ａ，６ａは接合方向Ｘへと案内移動されるので、突状部６ａ，６ａを取付孔３，３内に挿入すると、取付孔３，３内において突状部６ａ，６ａは不用意に屈曲されることなく取付孔３，３に対する挿入位置が正確に位置決めされる。しかも弾性材よりなる接合部材本体６には、その軸長方向Ｉに交叉する厚み方向Ｔの外側部分に所望長さｌ5 の接合部９ａ1 を有して閉鎖端９ａとなした開列用空間部９を厚み方向Ｔに向けて設けることにより接合部材本体６は一体的に形成されて剛性を発揮する。従って、取付孔３，３内において突状部６ａ，６ａは不用意に屈曲して中心線Ｎが偏るという不都合がなく取付孔３内の所定位置に挿入される。本実施例の場合、外側部分を閉鎖端９ａとなした開列用空間部９が厚み方向Ｔに形成された接合部材本体６の曲げ荷重は、閉鎖端９ａの接合部９ａ1 の長さｌ5 が１ｍｍ以下であったとしても、単に蛇腹状に形成された従来のゴム製のパッキングの剛性が７０ｇ／１０ｃｍ程度にあって屈曲性を有するのに対して通常時には４２０ｇ／ｃｍとなり、高剛性を発揮する。
【００２７】
そして突状部６ａ，６ａが取付孔３，３内の所定位置に挿入されると、この突状部６ａ，６ａの後方に設けたリップ状の閉鎖圧接部６ｂ，６ｂが開口部４の内面に圧接されることにより取付孔３，３内は気密状態に維持される。しかも突状部６ａを取付孔３内に挿入して位置させると、この突状部６ａの周囲には取付孔３内において突状部６ａとの間に空間部Ｋが形成されて開口部４内に通ずる導入通路８を形成する。
【００２８】
その後導入口８ａからこの導入通路８を通じて取付孔３，３内に挿入された突状部６ａとの間に形成される空間部Ｋ内にグラウト材７を充填、固化する。この時、グラウト材７は、充填機により充填される（図１参照）。またグラウト材７としては、無収縮性のセメントモルタルが好適に使用されるほか、液状のゴムや合成樹脂が使用される。また前述のように開口部４内に圧接されるリップ状の閉鎖圧接部６ｂ，６ｂは、設置角度θが４５°〜６０°により設けられて開口部４内に係止されるので、充填機によるグラウト材７の充填圧力を高くしても取付孔３、導入通路８内の気密性が確保され、短時間にして迅速且つ確実にグラウト材７を充填することができるとともにグラウト材７が取付孔３から漏れ出すのを防止できる。またリップ状の閉鎖圧接部６ｂ，６ｂは、突状部６ａよりも外側に長い長さｌ4 、例えば１．５〜２ｍｍ程度に形成され、本実施例は左右の上面または下面に２本づつ、合計８個を形成したことにより、空間部Ｋ内に圧力をかけた場合に１．２ｋｇ／ｃｍ2 の耐圧力を発揮する。この閉鎖圧接部６ｂは、取付孔３内に詰め込まれるグラウト材７の充填圧力の大小、開口部４の端部から取付孔３に到る設置距離の長短、接合部材本体６の軸長方向Ｉの長さＬの大小により適切な個数が選択されて設置個数が自由に増減変更される。
【００２９】
そしてグラウト材７が取付孔３の空間部Ｋ内に充填されさて固化されると、コンクリート製接合物Ａ，Ｂに設けた断面略円形の取付孔３，３内に挿入されて位置するゴム等の弾性材よりなる接合部材本体６の膨拡状の突状部６ａ，６ａは、グラウト材７が固化することにより取付孔３，３内に水密に固定される。
【００３０】
この際、接合部材本体６の左右の両側端に設けた膨拡状の突状部６ａ，６ａは、その外形が断面略半楕円形に形成されてコンクリート製接合物Ａ，Ｂの断面略半円形の取付孔３内に位置してこの取付孔３と、この取付孔３に連設された先窄まりの開口部４との境の頸部に位置する個所にくびれ部５，５が形成されるとともに開口部４の幅狭の開口幅ｌ1 よりも取付孔３内に挿入された突状部６ａは径大に形成されて先端括れ部の厚み方向Ｔの高さｈ，ｈが少なくとも２ｍｍ以上に確保されているので、グラウト材７が固化されて取付孔３，３内に取付けられた突状部６ａ，６ａは強固に固定されて取付孔３，３からの抜出しは確実に防止され、止水性は極めて優れたものになる（図３参照）。
こうして弾性材よりなる接合部材本体６の左右の両側端に設けた突状部６ａ，６ａをコンクリート製接合物Ａ，Ｂの取付孔３，３内に挿入し、その後にグラウト材７を取付孔３，３内の空間部Ｋ，Ｋ内に充填し、固化するという簡単な取扱により弾性材よりなる接合部材本体６を介してボックス・カルバート１，１は相互に迅速且つ確実に接続される。
【００３１】
そして地震の地盤変形、地盤ひずみや振動等の外力による引張力や圧縮力がコンクリート製接合物Ａ，Ｂのボックス・カルバート１，１の接合部に加わると、ゴムまたは合成樹脂等の弾性材よりなる接合部材本体６の弾性復元性により振動等が吸収されてコンクリート製接合物Ａ，Ｂ相互の接合部には影響を与えない。
この時、接合部材本体６の厚み方向Ｔに設けた開列用空間部９の外側部分に１ｍｍ以下の所望長さｌ5 の接合部９ａ1 を有する閉鎖端９ａが形成されて接合部材本体６は剛性を有するので、コンクリート製接合物Ａ，Ｂは接合部材本体６による水密性を維持した状態で剛結性を発揮して構造堅牢に接続される。
【００３２】
また弾性材よりなる接合部材本体６の弾性限界以上の大きな地震または振動等の外力による引張力や圧縮力がコンクリート製接合物Ａ，Ｂの接合部に加わると、前述のように接合部材本体６にはその外側部分に１ｍｍ以下の所望長さｌ5 の接合部９ａ1 を有する閉鎖端９ａを形成した開列用空間部９が接合部材本体６の軸長方向Ｉに略交叉する厚み方向Ｔに向けて形成されているので、地震等の外力を受けて接合部９ａ1 が左右方向に破断されて開列用空間部９は左右方向に開離されることにより接合部材本体６は図３に示すように蛇腹状になる。
【００３３】
この際、図１乃至図４に示す本実施例では開列用空間部９は、接合部材本体６に３個が設けられて隣接する相互が接合部材本体６に相反する向きに形成されるのと、しかもこれらの開列用空間部９は接合部材本体６の厚み方向Ｔの中心線Ｎを越えて形成されるとともに外側部分に形成された閉鎖端９ａの接合部９ａ1 は１ｍｍ以下の所望長さｌ5 に形成されるのと、内側部分は幅広部９ｂに形成されている。従って、接合部９ａ1 おいて開列用空間部９が開列されて蛇腹状に形成される接合部材本体６は、その肉厚が各部所においてムラを生ぜずに略平均な厚みになる。こうして接合部材本体６の肉厚がムラを生じて破断し易くなり、破断強さが低いという不都合はなくなり、外力に起因する弾性材よりなる接合部材本体６の伸縮性は優れたものになる。本実施例の場合、接合部材本体６の断列強さは、８０ｋｇ／１０ｃｍの高強度を発揮し、しかもその伸長量は１１５ｍｍにも達し、高伸縮性を発揮する。
そしてコンクリート製接合物Ａ，Ｂは、接合部材本体６を介して接合された状態で地震等の外力に対して接合部材本体６の軸長方向Ｉおよびこの軸長方向Ｉに略交叉する厚み方向Ｔに縦横に伸縮し、極めて高い追従性を発揮する。しかも接合部材本体６の剛結性および接合部材本体６の止水性は良好になる。
【００３４】
図５に示すものは本発明の第２の実施例であり、この実施例においては接合部材本体６の厚み方向Ｔに設けられる開離用空間部９の設置個数が前記実施例では上面および下面に３個が設けられているのとは異なり、２個が設けられた点で構成が異なる。
そしてコンクリート製接合物Ａ，Ｂを弾性材よりなる接合部材本体６を介して接合するには、接合部材本体６の左右の両側端に設けた断面略半楕円形の突状部６ａ，６ａを図１に示すように対向するコンクリート製接合物Ａ，Ｂの開口部４，４を介して取付孔３，３内に挿入する。その後に接合部材本体６の閉鎖圧接部６ｂ，６ｂ；６ｂ，６ｂを開口部４内に圧接して取付孔３，３内を気密にした状態でグラウト材７を充填して固化することにより、取付孔３，３内に突状部６ａ，６ａを取付けてその抜け出しをはかり、接合部材本体６よりなる止水性を発揮してコンクリート製接合物Ａ，Ｂ相互を接合するようにした。
また地震等の外力により必要以上に大きな力がコンクリート製接合物Ａ，Ｂの接続部に加わった場合には、接合部材本体６の厚み方向Ｔに伸びる開列用空間部９の外側部に位置する所望長さｌ5 の接合部９ａ1 が左右に破断して開列用空間部９は開いて接合部材本体６が蛇腹状になって伸縮性に富んで耐震性が確保され、構造堅牢な接合になる点は前記第１実施例と同様の作用を奏する。
【００３５】
図６に示すものは本発明の第３実施例であり、前記第１実施例および第２実施例においては接合部材本体６の側端に設けた断面略半楕円形の突状部６ａの後方の上面および下面に設けた閉鎖圧接部６ｂが、突状部６ａの挿入方向Ｓに係止可能なリップ状のものを示しているが、この実施例においては突状部６ａの先端括れ部から接合部材本体６にかけてテーパ面６ｃとなすことにより開口部４，４の内面に圧接可能になす閉鎖圧接部６ｂ′を左右の上面および下面に形成してグラウト材７を充填、固化する時に取付孔３，３内を気密状態にするようにした点が前記各実施例とは異なる構成であり、そのほかは前記各実施例と同様の構成であり、同様の作用がある。
【００３６】
図７に示すものは本発明の第４実施例であり、この実施例においてはゴム等の弾性材よりなる接合部材本体６の上面または下面にコンクリート製接合物Ａ,Ｂの接合面２,２に接触する閉鎖壁２０を接合部材本体６の軸長方向Ｉに交叉する厚み方向Ｔに突設した構成によりリップ状の閉鎖圧接部６ｂを開口部４の内壁に圧接して取付孔３の気密性を維持するだけの場合に加えて取付孔３内に挿入される突状部６ａの抜けを確実に防止するようにした点が前記実施例とは異なる。
【００３７】
上記説明では、コンクリート接合物Ａ，Ｂとしてボックス・カルバート１，１を好適な実施例として説明しているが、コンクリート製接合物Ａ，Ｂとしては図示するボックス・カルバート１，１に限ることなく、そのほかに側溝、Ｕ形溝、下水管、共同溝等の地下埋設構造物やトンネル、擁壁等の地上構造物のような土木資材や外壁パネル、内壁パネル、スラブ板等のような建築資材にも本発明は適用される。
また上記説明では、ボックス・カルバート１，１を接合する場合に使用される接合部材本体６は、接合面２，２に臨まれる開口部４，４に対応させて正面略環状に形成されたものが使用されているが、これは例示であり、コンクリート製接合物Ａ，Ｂが側溝やＵ形溝である場合には、接合部材本体６は正面略環状に形成されることなく有端状に形成される。
【００３８】
また上記各実施例において弾性材よりなる接合部材本体６の軸長方向Ｉに交叉する厚み方向Ｔに伸びる開列用空間部９は、相反する向きの断面にて独立して正面略環状に形成されているが、この開列用空間部９は周方向に螺旋状に接合部材本体６の外周面に形成されたものも突状部６ａを取付孔３内に挿入する時に開列用空間部９の外周部に接合部９ａ1 を有する閉鎖端９ａを形成したことにより剛性を発揮して突状部６ａを所定位置に挿入することができる。そして、地震等の大きな外力が働いた場合には開列用空間部９が開列して接合部材本体６が蛇腹状になって伸縮性を発揮する点で本発明の適用範囲である。
【００３９】
また上記第１実施例および第２実施例においては接合部材本体６の側端に設けたリップ状の閉鎖圧接部６ｂは、突状部６ａ，６ａの後方の上面および下面に左右２個づつを夫々形成しているが、この閉鎖圧接部６ｂの設置個数はこれに制限されずに取付孔３内に充填されるグラウト材７の充填圧力の大小、開口部４から取付孔３に到る設置距離の長短、接合部材本体６の軸長方向Ｉの長さの大小により適切な個数が選択され、増減変更は自由である。
【００４０】
また上記第１実施例、第２実施例、第３実施例、第４実施例では、接合部材本体６の両側端に突状部６ａ，６ａを形成してコンクリート製接合物Ａ，Ｂの取付孔３，３内に挿入しているが、これに限ることはなく一方のコンクリート製接合物Ａの取付孔３内に挿入される突状部６ａを接合部材本体６の一側端に１個を形成し、接合部材本体６の他端は突状部６ａを使用せずに他の取付手段、例えば係止部を設けてコンクリート製接合物Ｂ内に埋め込んだり、アンカー部品を用いる等して他方のコンクリート製接合物Ｂに接合部材本体６を取付けるようにしてもよい。そして図には示さないが、一方の突状部６ａの後方に位置する上面または下面の一側にリップ状の閉鎖圧接部６ｂを接合部材本体６に形成した場合にも、この閉鎖圧接部６ｂが開口部４の内面に接触されて突状部６ａの挿入を案内することによって取付孔３内へ突状部６ａを屈曲することなく所定位置に円滑且つ確実に挿入することができる。この結果、取付孔３内の気密性を確保してグラウト材７を漏れなく取付孔３内の空間部Ｋに充填して固化することができる。
【００４１】
【発明の効果】
以上のように本発明は、コンクリート接合物の接合面に臨む開口部からその先窄まりの奥に設けた径大の取付孔内に挿入される外形が断面略半楕円形の膨拡状の突状部を、該突状部の後方にその突状部の短軸方向の長さより厚い厚さに弾性材にて形成される接合部材本体の少なくとも一側端または両側に設け、そして該接合部材本体にはその軸長方向に略交叉する厚み方向に向いた複数個の開列用空間部の隣接する相互が形成され、該開列用空間部は、接合部材本体の厚み方向の外側部分を所望長さの接合部を有する開離可能な閉鎖端とし、内側部分は幅広部に形成されたことを特徴とするので、コンクリート製接合物相互を接合する時に弾性材よりなる接合部材本体は一体的になって不用意に屈曲することなく取付孔内の所定位置に突状部は容易且つ確実に挿入される。そしてその後に取付孔内にグラウト材を充填することにより、固化して取付孔内に突状部を取付けることができ、未熟練者にも簡単な取扱操作で短時間にて効率的にコンクリート製接合物相互の接合作業が行なえる。
またコンクリート製接合物の接合後はコンクリート製接合物相互の剛結性が充分であり、しかも地震または振動等の外力が必要以上に加わった場合には、接合部材本体の厚み方向に伸びる開列用空間部の外側部に設けた接合部が破断されて接合部材本体は蛇腹状に開列されるので、地震等に対してコンクリート製接合物相互の接合部における追従性が良くなって伸縮性に富み、止水性と、強度は優れたものになる。
さらには弾性材よりなる接合部材本体とグラウト材とを使用するだけでコンクリート製接合物相互を接合することができるので、部品点数が少なく、製作および設計が容易であり、製作費、工事費、資材費が安価になる。
【図面の簡単な説明】
【図１】本発明の第１実施例のコンクリート製接合物の接合状態を示す拡大斜面図である。
【図２】同じく接合部材本体の側端に設けた突状部をコンクリート製接合物の取付孔内に挿入した状態の本実施例を示す拡大断面図である。
【図３】同じく接合部材本体を介してコンクリート製接合物相互を接合し、開列用空間部が開いた状態の本実施例を示す拡大断面図である。
【図４】同じく接合部材本体を使用してコンクリート製接合物相互を接続する時の全体を示す斜面図である。
【図５】本発明の第２実施例のコンクリート製接合物相互の接続状態を示す拡大断面図である。
【図６】本発明の第３実施例のコンクリート製接合物相互の接続状態を示す拡大断面図である。
【図７】本発明の第４実施例のコンクリート製接合物相互の接続状態を示す拡大断面図である。
【図８】コンクリート製接合物相互を接続する状態を示す従来の接合方法の一例を示す断面図である。
【図９】同じくコンクリート製接合物相互を接続する状態を示す従来の接合方法の他例を示す側面図である。
【符号の説明】
１      ボックス・カルバート
２      接合面
３      取付孔
４      開口部
６      接合部材本体
６ａ    突状部
６ｂ    閉鎖圧接部
７      グラウト材
８      導入通路
９      開列用空間部
９ａ    閉鎖端
９ａ1   接合部
９ｂ    幅広部
Ａ      コンクリート製接合物
Ｂ      コンクリート製接合物
Ｉ      軸長方向
Ｋ      空間部
Ｎ      中心線
Ｔ      厚み方向
ｈ      高さ
ｌ4     長さ
【図１】
0003954673.tif 000002
【図２】
0003954673.tif 000003
【図３】
0003954673.tif 000004
【図４】
0003954673.tif 000005
【図５】
0003954673.tif 000006
【図６】
0003954673.tif 000007
【図７】
0003954673.tif 000008
【図８】
0003954673.tif 000009
【図９】
0003954673.tif 000010